(57)【特許請求の範囲】
【請求項１】
セルのタイミング構成を決定する方法であって、
クロスキャリアスケジューリングを利用する無線時分割複信（ＴＤＤ）システムにおけるスケジューリングセルのアップリンク／ダウンリンク（ＵＬ−ＤＬ）サブフレーム構成のインディケーションを、拡張ノードＢ（ｅＮＢ）から送信し、
前記無線ＴＤＤシステムにおけるスケジューリングされたセルのＵＬ−ＤＬサブフレーム構成のインディケーションを送信し、
前記スケジューリングセルの前記ＵＬ−ＤＬサブフレーム構成を利用するハイブリッド自動再送要求（ＨＡＲＱ）プロセスのアップリンクラウンドトリップタイム（ＲＴＴ）に基づいて前記スケジューリングセルの前記ＵＬ−ＤＬサブフレーム構成のタイプを識別し、
前記スケジューリングセルの前記ＵＬ−ＤＬサブフレーム構成の前記タイプに基づいて、前記スケジューリングされたセルのＨＡＲＱタイミング構成を決定する方法。
【請求項２】
前記スケジューリングセルは、プライマリサービングセル又はセカンダリサービングセルであり、前記スケジューリングされたセルはセカンダリサービングセルである請求項１に記載の方法。
【請求項３】
前記タイプが、１０ミリ秒に等しいアップリンクＨＡＲＱ  ＲＴＴに関連付けられた第１タイプである場合、前記タイミング構成が前記スケジューリングセルの前記ＵＬ−ＤＬサブフレーム構成であると決定し、
前記タイプが、１０ミリ秒と等しくないアップリンクＨＡＲＱ  ＲＴＴに関連付けられた第２タイプである場合、前記タイミング構成は、前記スケジューリングされたセルの前記ＵＬ−ＤＬサブフレーム構成であると決定することを更に備える請求項１に記載の方法。
【請求項４】
前記ＨＡＲＱプロセスは、前記タイミング構成に基づいて、前記スケジューリングセルの少なくとも１つのダウンリンクサブフレームを介して、前記スケジューリングセルにおける肯定応答信号又は否定応答信号を送信する段階を備え、
前記肯定応答信号又は前記否定応答信号は、物理ハイブリッドＡＲＱインジケータチャネル（ＰＨＩＣＨ）のサブフレームにおいて送信される請求項１に記載の方法。
【請求項５】
前記スケジューリングされたセルの前記ＵＬ−ＤＬサブフレーム構成及び前記スケジューリングセルの前記ＵＬ−ＤＬサブフレーム構成は、第３世代パートナーシップ・プロジェクト（３ＧＰＰ）ロングタームエボリューション（ＬＴＥ）アドバンスト無線通信規格に関連するＴＤＤ  ＵＬ−ＤＬ構成０−６の少なくとも１つに対応し、
前記スケジューリングされたセルの前記ＵＬ−ＤＬサブフレーム構成の前記インディケーションを送信する段階は、３ＧＰＰ  ＬＴＥ  無線通信規格システム情報ブロック１（ＳＩＢ１）を送信する段階を備える請求項１から4のいずれか一項に記載の方法。
【請求項６】
セルのタイミング構成を決定するユーザ機器（ＵＥ）であって、
クロスキャリアスケジューリングを利用する無線時分割複信（ＴＤＤ）システムのスケジューリングセル及びスケジューリングされたセルの、互いに異なる複数のＵＬ−ＤＬサブフレーム構成の各々のインディケーションを受信する受信機と、
前記受信機に接続され、前記スケジューリングセルの前記ＵＬ−ＤＬサブフレーム構成を利用するハイブリッド自動再送要求（ＨＡＲＱ）プロセスのアップリンクラウンドトリップタイム（ＲＴＴ）に基づいて、スケジューリングされたセルのタイミング構成を決定するプロセッサと
を備え、
前記受信機は、前記スケジューリングされたセルのタイミング構成に従い、前記スケジューリングセルの少なくとも１つのダウンリンクサブフレームにおける前記スケジューリングされたセルのＨＡＲＱ信号を更に受信するユーザ機器。
【請求項７】
前記スケジューリングセルは、プライマリサービングセル又はセカンダリサービングセルであり、前記スケジューリングされたセルは、セカンダリサービングセルであり、
前記ＨＡＲＱ信号は、物理ハイブリッドＡＲＱインジケータチャネル（ＰＨＩＣＨ）のダウンリンクサブフレームにおいて送信される肯定応答信号又は否定応答信号を含む請求項６に記載のユーザ機器。
【請求項８】
前記ＲＴＴが１０ミリ秒に等しい場合、前記スケジューリングされたセルのタイミング構成は、前記スケジューリングセルの前記ＵＬ−ＤＬサブフレーム構成であり、
前記ＲＴＴが１０ミリ秒と等しくない場合、前記スケジューリングされたセルのタイミング構成は、前記スケジューリングされたセルの前記ＵＬ−ＤＬサブフレーム構成である請求項６に記載のユーザ機器。
【請求項９】
前記スケジューリングされたセルの前記ＵＬ−ＤＬサブフレーム構成及び前記スケジューリングセルの前記ＵＬ−ＤＬサブフレーム構成は、
第３世代パートナーシップ・プロジェクト（３ＧＰＰ）ロングタームエボリューション（ＬＴＥ）アドバンスト無線通信規格に関連するＴＤＤ  ＵＬ−ＤＬ構成０−６の異なる一つである請求項６に記載のユーザ機器。
【請求項１０】
前記受信機は、第３世代パートナーシップ・プロジェクト（３ＧＰＰ）ロングタームエボリューション（ＬＴＥ）アドバンスト無線通信規格システム情報ブロック１（ＳＩＢ１）における前記スケジューリングされたセルの前記ＵＬ−ＤＬサブフレーム構成を受信し、
前記ユーザ機器は、携帯電話、ネットブック、ラップトップ、電子タブレット又は車載用データシステムである請求項６から９のいずれか一項に記載のユーザ機器。
【請求項１１】
セルのタイミング構成を決定するシステムであって、
ユーザ機器（ＵＥ）において、クロスキャリアスケジューリングを利用する無線時分割複信（ＴＤＤ）システムにおけるスケジューリングセルのアップリンク／ダウンリンク（ＵＬ−ＤＬ）サブフレーム構成のインディケーションを受信する受信機であって、前記無線ＴＤＤシステムにおけるスケジューリングされたセルのＵＬ−ＤＬサブフレーム構成のインディケーションを更に受信する受信機と、
前記スケジューリングセル及び前記スケジューリングされたセルの複数の前記ＵＬ−ＤＬサブフレーム構成に基づいて、参照ＵＬ−ＤＬサブフレーム構成を識別するプロセッサと
を備え、
前記スケジューリングされたセルの前記ＵＬ−ＤＬサブフレーム構成は、前記スケジューリングセルの前記ＵＬ−ＤＬサブフレーム構成と異なり、
前記受信機は、前記参照ＵＬ−ＤＬサブフレーム構成のサブフレームタイミングに応じて、拡張ノードＢ（ｅＮＢ）の前記スケジューリングセルから、前記スケジューリングされたセルのハイブリッド自動再送要求（ＨＡＲＱ）信号を更に受信するシステム。
【請求項１２】
前記スケジューリングセルの前記ＵＬ−ＤＬサブフレーム構成が１に等しく、前記スケジューリングされたセルの前記ＵＬ−ＤＬサブフレーム構成が２、４又は５に等しい場合、前記参照ＵＬ−ＤＬサブフレーム構成は１に等しく、
前記スケジューリングセルの前記ＵＬ−ＤＬサブフレーム構成が２に等しく、前記スケジューリングされたセルの前記ＵＬ−ＤＬサブフレーム構成が５に等しい場合、前記参照ＵＬ−ＤＬサブフレーム構成は２に等しく、
前記スケジューリングセルの前記ＵＬ−ＤＬサブフレーム構成が３に等しく、前記スケジューリングされたセルの前記ＵＬ−ＤＬサブフレーム構成が４又は５に等しい場合、前記参照ＵＬ−ＤＬサブフレーム構成は３に等しく、
前記スケジューリングセルの前記ＵＬ−ＤＬサブフレーム構成が４に等しく、前記スケジューリングされたセルの前記ＵＬ−ＤＬサブフレーム構成が５に等しい場合、前記参照ＵＬ−ＤＬサブフレーム構成は４に等しい請求項１１に記載のシステム。
【請求項１３】
前記スケジューリングセルの前記ＵＬ−ＤＬサブフレーム構成が１、２、３又は４に等しく、前記スケジューリングされたセルの前記ＵＬ−ＤＬサブフレーム構成が６に等しい場合、前記参照ＵＬ−ＤＬサブフレーム構成は６に等しく、
前記スケジューリングセルの前記ＵＬ−ＤＬサブフレーム構成が３又は４に等しく、前記スケジューリングされたセルの前記ＵＬ−ＤＬサブフレーム構成が０に等しい場合、前記参照ＵＬ−ＤＬサブフレーム構成は０に等しく、
前記スケジューリングセルの前記ＵＬ−ＤＬサブフレーム構成が４に等しく、前記スケジューリングされたセルの前記ＵＬ−ＤＬサブフレーム構成が１に等しい場合、前記参照ＵＬ−ＤＬサブフレーム構成は１に等しい請求項１１に記載のシステム。
【請求項１４】
前記スケジューリングセルの前記ＵＬ−ＤＬサブフレーム構成が２に等しく、前記スケジューリングされたセルの前記ＵＬ−ＤＬサブフレーム構成が３に等しい場合、前記参照ＵＬ−ＤＬサブフレーム構成は３に等しく、
前記スケジューリングセルの前記ＵＬ−ＤＬサブフレーム構成が２に等しく、前記スケジューリングされたセルの前記ＵＬ−ＤＬサブフレーム構成が４に等しい場合、前記参照ＵＬ−ＤＬサブフレーム構成は４に等しい請求項１１に記載のシステム。
【請求項１５】
前記スケジューリングセルの前記ＵＬ−ＤＬサブフレーム構成が６に等しく、前記スケジューリングされたセルの前記ＵＬ−ＤＬサブフレーム構成が０に等しい場合、前記参照ＵＬ−ＤＬサブフレーム構成は０に等しく、
前記スケジューリングセルの前記ＵＬ−ＤＬサブフレーム構成が０又は６に等しく、前記スケジューリングされたセルの前記ＵＬ−ＤＬサブフレーム構成が１、２又は５に等しい場合、前記参照ＵＬ−ＤＬサブフレーム構成は１に等しく、
前記スケジューリングセルの前記ＵＬ−ＤＬサブフレーム構成が０又は６に等しく、前記スケジューリングされたセルの前記ＵＬ−ＤＬサブフレーム構成が３に等しい場合、前記参照ＵＬ−ＤＬサブフレーム構成は３に等しく、
前記スケジューリングセルの前記ＵＬ−ＤＬサブフレーム構成が０に等しく、前記スケジューリングされたセルの前記ＵＬ−ＤＬサブフレーム構成が６に等しい場合、前記参照ＵＬ−ＤＬサブフレーム構成は６に等しく、
前記スケジューリングセルの前記ＵＬ−ＤＬサブフレーム構成が６に等しく、前記スケジューリングされたセルの前記ＵＬ−ＤＬサブフレーム構成が４に等しい場合、前記参照ＵＬ−ＤＬサブフレーム構成は４に等しい請求項１１に記載のシステム。
【請求項１６】
前記スケジューリングセルは、プライマリサービスセル又はセカンダリサービングセルであり、
前記スケジューリングされたセルは、セカンダリサービングセルである請求項１１から１５のいずれか一項に記載のシステム。
【請求項１７】
前記受信機は、１又は複数の無線リソース制御（ＲＲＣ）信号を介して、前記参照ＵＬ−ＤＬサブフレーム構成のインディケーションを更に受信する請求項１１から１５のいずれか一項に記載のシステム。
【請求項１８】
前記プロセッサは、更に、前記ユーザ機器のメモリに格納されたテーブルを介して、前記参照ＵＬ−ＤＬサブフレーム構成を識別する請求項１１から１５のいずれか一項に記載のシステム。
【請求項１９】
前記スケジューリングされたセルの前記ＵＬ−ＤＬサブフレーム構成、前記スケジューリングセルの前記ＵＬ−ＤＬサブフレーム構成及び前記参照ＵＬ−ＤＬサブフレーム構成の少なくとも一つは、第３世代パートナーシップ・プロジェクト（３ＧＰＰ）のロングタームエボリューション（ＬＴＥ）アドバンスト無線通信規格に関連するＴＤＤ  ＵＬ−ＤＬ構成０−６の一つに対応し、
前記システムは、携帯電話、ネットブック、ラップトップ、電子タブレット又は車載用データシステムである請求項１１から１５のいずれか一項に記載のシステム。
【請求項２０】
前記参照ＵＬ−ＤＬサブフレーム構成は、前記スケジューリングセル、又は前記スケジューリングされたセルのいずれかの前記ＵＬ−ＤＬサブフレーム構成と異なる請求項１１から１５のいずれか一項に記載のシステム。
【請求項２１】
前記受信機は、更に、前記スケジューリングセルのダウンリンクサブフレームにおいて、前記スケジューリングされたセルの前記ＨＡＲＱ信号を受信し、
前記ＨＡＲＱ信号は、肯定応答信号又は否定応答信号を含む請求項１１から１５のいずれか一項に記載のシステム。
【請求項２２】
セルのタイミング構成を決定するための拡張ノードＢ（ｅＮＢ）であって、
クロスキャリアスケジューリングを利用する無線時分割複信（ＴＤＤ）システムにおけるスケジューリングセル及びスケジューリングされたセルのアップリンク／ダウンリンク（ＵＬ−ＤＬ）サブフレーム構成のそれぞれを決定し、
前記スケジューリングセル及び前記スケジューリングされたセルの前記ＵＬ−ＤＬサブフレーム構成に基づいて、参照ＵＬ−ＤＬサブフレーム構成を決定するプロセッサと、
ユーザ機器（ＵＥ）に
前記スケジューリングセルの前記ＵＬ−ＤＬサブフレーム構成のインディケーションと、
前記スケジューリングされたセルの前記ＵＬ−ＤＬサブフレーム構成のインディケーションと、
前記参照ＵＬ−ＤＬサブフレーム構成のインディケーションと
を送信する送信機と
を備え、
前記スケジューリングされたセルの前記ＵＬ−ＤＬサブフレーム構成は、前記スケジューリングセルの前記ＵＬ−ＤＬサブフレーム構成と異なり、
前記送信機は、更に、前記スケジューリングセルのダウンリンクサブフレームにおける前記スケジューリングされたセルの肯定応答信号又は否定応答信号を含むハイブリッド自動再送要求（ＨＡＲＱ）信号を送信する拡張ノードＢ。
【請求項２３】
前記参照ＵＬ−ＤＬサブフレーム構成の前記インディケーションは、１又は複数の無線リソース制御（ＲＲＣ）信号を介して送信され、
前記スケジューリングセルは、プライマリサービスセル又はセカンダリサービングセルであり、
前記スケジューリングされたセルは、セカンダリサービングセルである請求項２２に記載の拡張ノードＢ。
【請求項２４】
前記スケジューリングされたセルの前記ＵＬ−ＤＬサブフレーム構成、前記スケジューリングセルの前記ＵＬ−ＤＬサブフレーム構成及び前記参照ＵＬ−ＤＬサブフレーム構成の少なくとも一つは、第３世代パートナーシップ・プロジェクト（３ＧＰＰ）のロングタームエボリューション（ＬＴＥ）アドバンスト無線通信規格に関連するＴＤＤ  ＵＬ−ＤＬ構成０−６の一つである請求項２２に記載の拡張ノードＢ。
【請求項２５】
前記スケジューリングセルの前記ＵＬ−ＤＬサブフレーム構成が１に等しく、前記スケジューリングされたセルの前記ＵＬ−ＤＬサブフレーム構成が２、４又は５に等しい場合、前記参照ＵＬ−ＤＬサブフレーム構成は１に等しく、
前記スケジューリングセルの前記ＵＬ−ＤＬサブフレーム構成が２に等しく、前記スケジューリングされたセルの前記ＵＬ−ＤＬサブフレーム構成が５に等しい場合、前記参照ＵＬ−ＤＬサブフレーム構成は２に等しく、
前記スケジューリングセルの前記ＵＬ−ＤＬサブフレーム構成が３に等しく、前記スケジューリングされたセルの前記ＵＬ−ＤＬサブフレーム構成が４又は５に等しい場合、前記参照ＵＬ−ＤＬサブフレーム構成は３に等しく、
前記スケジューリングセルの前記ＵＬ−ＤＬサブフレーム構成が４に等しく、前記スケジューリングされたセルの前記ＵＬ−ＤＬサブフレーム構成が５に等しい場合、前記参照ＵＬ−ＤＬサブフレーム構成は４に等しく、
前記スケジューリングセルの前記ＵＬ−ＤＬサブフレーム構成が１、２、３又は４に等しく、前記スケジューリングされたセルの前記ＵＬ−ＤＬサブフレーム構成が６に等しい場合、前記参照ＵＬ−ＤＬサブフレーム構成は６に等しく、
前記スケジューリングセルの前記ＵＬ−ＤＬサブフレーム構成が３又は４に等しく、前記スケジューリングされたセルの前記ＵＬ−ＤＬサブフレーム構成が０に等しい場合、前記参照ＵＬ−ＤＬサブフレーム構成は０に等しく、
前記スケジューリングセルの前記ＵＬ−ＤＬサブフレーム構成が４に等しく、前記スケジューリングされたセルの前記ＵＬ−ＤＬサブフレーム構成が１に等しい場合、前記参照ＵＬ−ＤＬサブフレーム構成は１に等しく、
前記スケジューリングセルの前記ＵＬ−ＤＬサブフレーム構成が２に等しく、前記スケジューリングされたセルの前記ＵＬ−ＤＬサブフレーム構成が３に等しい場合、前記参照ＵＬ−ＤＬサブフレーム構成は３に等しく、
前記スケジューリングセルの前記ＵＬ−ＤＬサブフレーム構成が２に等しく、前記スケジューリングされたセルの前記ＵＬ−ＤＬサブフレーム構成が４に等しい場合、前記参照ＵＬ−ＤＬサブフレーム構成は４に等しく、
前記スケジューリングセルの前記ＵＬ−ＤＬサブフレーム構成が６に等しく、前記スケジューリングされたセルの前記ＵＬ−ＤＬサブフレーム構成が０に等しい場合、前記参照ＵＬ−ＤＬサブフレーム構成は０に等しく、
前記スケジューリングセルの前記ＵＬ−ＤＬサブフレーム構成が０又は６に等しく、前記スケジューリングされたセルの前記ＵＬ−ＤＬサブフレーム構成が１、２又は５に等しい場合、前記参照ＵＬ−ＤＬサブフレーム構成は１に等しく、
前記スケジューリングセルの前記ＵＬ−ＤＬサブフレーム構成が０又は６に等しく、前記スケジューリングされたセルの前記ＵＬ−ＤＬサブフレーム構成が３に等しい場合、前記参照ＵＬ−ＤＬサブフレーム構成は３に等しく、
前記スケジューリングセルの前記ＵＬ−ＤＬサブフレーム構成が０に等しく、前記スケジューリングされたセルの前記ＵＬ−ＤＬサブフレーム構成が６に等しい場合、前記参照ＵＬ−ＤＬサブフレーム構成は６に等しく、
前記スケジューリングセルの前記ＵＬ−ＤＬサブフレーム構成が６に等しく、前記スケジューリングされたセルの前記ＵＬ−ＤＬサブフレーム構成が４に等しい場合、前記参照ＵＬ−ＤＬサブフレーム構成は４に等しい請求項２２から２４のいずれか一項に記載の拡張ノードＢ。
【発明の詳細な説明】
【技術分野】
【０００１】
［関連出願の相互参照］
本願は、「アドバンスト無線通信システムと技術」と題する、２０１２年３月１６日出願の米国の仮特許出願第６１／６１２、１８８号、及び、「ＴＤＤシステムのスケジューリングタイミング設計」と題する、２０１２年１２月１７日出願の、米国特許出願第１３／７１６、９７８号の優先権を主張し、その両方は全ての目的のために本明細書に参照として組み込まれる。
【０００２】
本願発明の複数の実施形態は、広く通信の分野に関連し、特に、無線通信ネットワークにおける確認タイミングの選択に関する。
【背景技術】
【０００３】
無線通信において、時分割複信（ＴＤＤ）システムは、リソース利用において適応性を提供してよい。例えば、ＴＤＤシステムは、無線通信セルのアップリンクトラフィック特性及びダウンリンクトラフィック特性に合うように、異なる複数のサブフレーム構成を使用してよい。異なる複数のサブフレーム構成を使用することの適応性は、利用可能なアップリンク（ＵＬ）リソースとダウンリンク（ＤＬ）リソースとの間の比率を、３ＵＬ：２ＤＬから１ＵＬ：９ＤＬまでの範囲にしてよい。第３世代パートナーシップ・プロジェクト（３ＧＰＰ）ロングタームエボリューションアドバンスト（ＬＴＥ−Ａ）通信規格であるリリース１０は、複数のＴＤＤコンポーネントキャリア（ＣＣ）のアグレゲーションのサポートを、同じアップリンク／ダウンリンク（ＵＬ−ＤＬ）サブフレーム構成に限定してもよい。このような限定が、規格における設計及び処理を単純化するかもしれない一方で、このような限定がより大きなデータスループットのための可能性を限定するかもしれない。
【図面の簡単な説明】
【０００４】
発明の複数の態様は、同様の要素に言及する参照番号のように、添付の図面において、例示の方法により説明され、限定による方法では説明されない。
【０００５】
【図１】様々な実施形態に沿った無線通信ネットワークを概略的に示す。
【図２】様々な実施形態に沿った任意のハイブリッド自動再送要求（ＨＡＲＱ）信号スケジューリングダイアグラムを概略的に示す。
【図３】様々な実施形態に沿った任意のＨＡＲＱ信号スケジューリングダイアグラムを概略的に示す。
【図４】様々な実施形態に沿ったＨＡＲＱ信号スケジューリング構成の選択を示すフローチャートである。
【図５】様々な実施形態の第１の方法に従って、任意のＨＡＲＱ信号スケジューリングダイアグラムを概略的に示す。
【図６】様々な実施形態の第１の方法に従って、任意のＨＡＲＱ信号スケジューリングダイアグラムを概略的に示す。
【図７】様々な実施形態に沿ったＨＡＲＱ信号スケジューリング構成の選択を示すフローチャートである。
【図８】様々な実施形態の第２の方法に従って、任意のＨＡＲＱ構成の選択を示す表である。
【図９】様々な実施形態の第２の方法に従って、任意のＨＡＲＱ信号スケジューリングダイアグラムを概略的に示す。
【図１０】様々な実施形態の第２の方法に従って、他の任意のＨＡＲＱ構成の選択を示す表である。
【図１１】様々な実施形態に沿った例示のシステムを概略的に示す。
【発明を実施するための形態】
【０００６】
本開示の説明に係る実施形態は、無線通信ネットワークにおける応答信号タイミングの選択のための方法、システム及び装置を含むが、これらに限られない。
【０００７】
複数の実施形態は、クロスキャリアスケジューリングを利用するＴＤＤ無線システムにおいて、スケジューリングセル及びスケジューリングされたセルのＵＬ−ＤＬサブフレーム構成を識別する方法を含む。いくつかの実施形態では、スケジューリングセルのタイプは、例えばＨＡＲＱプロセスのＵＬラウンドトリップタイム（ＲＴＴ）に基づいて識別されてよい。そして、ＵＬリソース割り当てのためのＵＬ−ＤＬサブフレーム構成は、スケジューリングセルのタイプに少なくとも部分的に基づいて決定されてよい。他の実施形態においては、参照構成は、ＵＬリソース割り当てのために利用されてもよい。参照構成は、スケジューリングセル及びスケジューリングされたセルの複数のＵＬ−ＤＬサブフレーム構成に少なくとも部分的に基づいてよい。いくつかの実施形態では、ｅＮＢ、ＵＥ若しくはそれら２つの間の信号伝達のある組み合わせによって、複数の方法が実行されてよい。
【０００８】
実例となる複数の実施形態の様々な態様は、他の当業者にそれらの仕事の本質を伝えるために、当業者によって一般に用いられる用語を用いて記載される。しかしながら、記載された複数の態様を部分的に用いることによって、いくつかの代替の実施形態が実行されてよいことが当業者にとって明らかである。説明のため、特定の番号、材料、及び構成は、順に説明され、実例となる実施形態の十分な理解を提供する。しかしながら、当業者が、代替の実施形態が詳細情報なしに実施されてもよいことは明らかである。他の例では、実例となる実施形態を不明瞭にしないために、周知の特徴が除外され、単純化される。
【０００９】
更に、様々な処理が、多数の独立した処理として記載され、これは、同様に、いわば、実例となる実施形態の理解を大きく助ける。しかしながら、説明の順序は、これらの処理が、必要な順番に依存していることを暗に意味するものと解釈されるべきではない。特に、これらの処理は、説明の順に、実行される必要はない。
【００１０】
「一実施形態」という文言が繰り返し使用される。一般的に、この文言は、同一の実施形態に言及するものではないが、同一の実施形態に言及するものであってもよい。「備える」、「有する」及び「含む」という用語は、文脈が指示しない限り、同義である。「Ａ／Ｂ」という文言は、「ＡまたはＢ」を意味する。「Ａ及び／又はＢ」という文言は、「（Ａ）、（Ｂ）、又は（Ａ及びＢ）」を意味する。「Ａ、Ｂ及びＣの少なくとも一つ」という文言は、「（Ａ）、（Ｂ）、（Ｃ）、（Ａ及びＢ）、（Ａ及びＣ）、（Ｂ及びＣ）、又は、（Ａ、Ｂ及びＣ）」を意味する。「（Ａ）Ｂ」という文言は、「（Ｂ）又は（ＡＢ）」を意味し、Ａは任意である。
【００１１】
ここに具体的な実施形態が説明され、記載されているにもかかわらず、当業者によって、多種多様な代替及び／又は同等の実施が、本開示の実施形態の範囲を超えることなく、示され、記載された具体的な実施形態に置換されてよい。本願は、ここで議論される複数の実施形態の任意の適応又は変更をカバーすることを意図している。したがって、請求項及びこれらに等価なものによってのみ、本開示の実施形態が限定されることを、明白に意図している。
【００１２】
本明細書で使用される「モジュール」という用語は、１つ又はそれ以上のソフトウェア又はファームウェアプログラムを実行する特定用途向け集積回路（ＡＳＩＣ）、電子回路、プロセッサ（共有、専用又はグループ）及び／又はメモリー（共有、専用又はグループ）、組み合わせ論理回路及び／又は記述された機能を提供する他の適当な構成に部分的に言及し、又は含んでもよい。
【００１３】
図１は、様々な実施形態に沿った無線通信ネットワーク１００を概略的に示す。無線通信ネットワーク１００（以下「ネットワーク１００」）は、進化したユニバーサル移動体通信システム（ＵＭＴＳ）及び地上無線アクセスネットワーク（Ｅ−ＵＴＲＡＮ）のような３ＧＰＰロングタームエボリューション（ＬＴＥ）又はＬＴＥ−Ａネットワークのアクセスネットワークであってよい。ネットワーク１００は、例えば、ユーザ機器（ＵＥ）１０８のようなモバイルデバイス又は端末と無線通信するように構成された、例えば、拡張ノード基地局（ｅＮＢ）１０４のような基地局を含んでよい。本発明の実施形態は、ＬＴＥネットワークに関連して記述される。いくつかの実施形態では、複数の無線アクセスネットワークの他の複数のタイプに使用されてよい。
【００１４】
ｅＮＢ１０４は、受信機モジュール１２０を用いて、１つ又はそれ以上のアンテナ１３０を介してＵＥ１０８から信号を受信する受信機モジュール１２０を含んでよい。ｅＮＢ１０４は、送信機モジュール１２４を用いて、１つ又はそれ以上のアンテナ１３０を介してＵＥ１０８に信号を送信する送信機モジュール１２４を含んでよい。ｅＮＢ１０４はまた、受信機モジュール１２０と送信機モジュール１２４との間に接続されたプロセッサモジュール１２８を含んでよく、複数の信号によって通信された情報をエンコード及びデコードしてよい。
【００１５】
ＵＥ１０８がキャリアアグリゲーション（ＣＡ）を利用できる複数の実施形態において、ｅＮＢ１０４とＵＥ１０８との間の通信のため、いくつかのＣＣが集められてよい。初期接続の形成において、ＵＥ１０８は、プライマリＣＣを利用するｅＮＢ１０４のプライマリサービングセル（ＰＣｅｌｌ）に接続されてよい。この接続は、例えば、セキュリティ、モビリティ、コンフィギュレーション等の様々な機能のために使用されてよい。その後、ＵＥ１０８は、１つ又はそれ以上のセカンダリＣＣを利用するｅＮＢ１０４の１つ又はそれ以上のセカンダリサービングセル（ＳＣｅｌｌ）に接続されてよい。これらの複数の接続は、追加の複数の無線リソースを提供するために使用されてよい。いくつかの実施形態では、ＵＥ１０８は、４つものＳＣｅｌｌと接続されてよい。
【００１６】
各ＣＣは、３ＧＧＰ  ＬＴＥ−Ａ通信規格のリリースに従って、いくつかの通信チャネルをサポートしてよい。例えば、各ＣＣは、ダウンリンクデータの送信のための物理ダウンリンク共有チャネル（ＰＤＳＣＨ）をサポートしてよい。他の例として、各ＣＣは、物理アップリンク制御チャネル（ＰＵＣＣＨ）及び／又は物理アップリンク共有チャネル（ＰＵＳＣＨ）をサポートして、ＵＥ１０８とｅＮＢ１０４との間の情報を運んでもよい。ＣＣは、ｅＮＢ１０４とＵＥ１０８との間の情報を運ぶための複数のアップリンクサブフレーム及び複数のダウンリンクサブフレームを含んでよい。単一１０ミリ秒無線フレームは、１０個のサブフレームを含んでよい。
【００１７】
複数のＣＣは、ＴＤＤ通信プロトコルに従って、情報を運んでよい。各ＣＣは、いくつかのＵＬ−ＤＬサブフレーム構成のうちの一つに従って、データをＵＥ１０８に輸送するように、又はデータをｅＮＢ１０４に輸送するようにスケジューリングされてよい。いくつかの実施形態において、複数のＵＬ−ＤＬサブフレーム構成は、表１で示された３ＧＰＰ  ＴＳ  ３６．２１１  ｖ１０．５．０  （２０１２−０６）の表４.２−２において定義されるように、ＵＬ  ＴＤＤ  ＨＡＲＱプロセスのための３ＧＰＰ  ＬＴＥ  ＵＬ−ＤＬサブフレーム構成０−６であってよい。他の実施形態では、異なる複数のＵＬ−ＤＬサブフレーム構成が使用されてよい。
【００１８】
表１を参照すると、各ＣＣは、いくつかの可能性のある複数のＵＬ−ＤＬサブフレーム構成のうちの１つに従って、データを輸送し、及び／又は信号を制御するように割り当てられてよい。本実施形態では、プライマリＣＣ及びセカンダリＣＣはいずれも、同一のＵＬ−ＤＬサブフレーム構成又は異なる複数のＵＬ−ＤＬサブフレーム構成により構成されてよい。一般的に、「Ｄ」又は「Ｓ」でラベル付されたサブフレーム０−９のそれぞれは、ＵＥ１０８がｅＮＢ１０４からデータを受信するサブフレームであり、「Ｕ」でラベル付されたサブフレーム０−９のそれぞれはＵＥ１０８がｅＮＢ１０４にデータを送信するサブフレームである。
【００１９】
【表１】
0005922261.tif 000002
表１：複数のＴＤＤ  ＵＬ−ＤＬサブフレーム構成
【００２０】
いくつかの実施形態では、ＵＥ１０８は、例えばＰＵＳＣＨにおいて、ｅＮＢ１０４にデータを通信してよい。それに応じて、例えば物理ハイブリッド自動再送要求インジケータチャネル（ＰＨＩＣＨ）により、ｅＮＢ１０４は、ＵＥ１０８に応答信号を通信してよい。一実施形態によれば、応答信号は、データ受信の肯定応答（ＡＣＫ）及びデータ受信の否定応答（ＮＡＣＫ）に対応する複数のＨＡＲＱ信号であってよい。複数の実施形態において、ｅＮＢ１０４は、ＡＣＫ信号又はＮＡＣＫ信号を送信してよく、送信されたデータが受信されたか、若しくは受信されていないかのそれぞれをＵＥ１０８に知らせてよい。
【００２１】
ｅＮＢ１０４は、更に、ＡＣＫ／ＮＡＣＫ信号をＵＥ１０８に送信するスケジュールを決定してよい。例えば、ｅＮＢ１０４は、どのＵＬ−ＤＬサブフレーム構成がＰＣｅｌｌ及びＳＣｅｌｌに用いられるかを決定し、複数のＵＬ−ＤＬサブフレーム構成の複数のインディケーションをＵＥ１０８に送信してよい。いくつかの実施形態では、システム情報ブロック（ＳＩＢ）として参照されるであろう制御信号において、ＵＬ−ＤＬサブフレーム構成の複数のインディケーションは、ＵＥ１０８に送信されてよい。いくつかの実施形態において、具体的には、制御信号は、３ＧＰＰ  ＬＴＥ規格において記述されるような第１システム情報ブロック（ＳＩＢ１）であってよい。ＳＩＢ１は、ｅＮＢ１０４によってブロードキャストされてよく、それに応じて、ＰＤＳＣＨにおいて、ＵＥ１０８によって受信されてよい
【００２２】
ＵＥ１０８は、受信機モジュール１４４、送信機モジュール１４８、プロセッサモジュール１５２、及び１つ又はそれ以上の適切なアンテナ１５６を含んでよい。受信機モジュール１４４及び送信機モジュール１４８は、１つ又はそれ以上の適切なアンテナ１５６に接続されてよく、ｅＮＢ１０４へ若しくはｅＮＢ１０４から、無線信号を送信及び受信してよい。
【００２３】
プロセッサモジュール１５２は、受信機モジュール１４４及び送信機モジュール１４８に接続され、ＵＥ１０８とｅＮＢ１０４との間で通信された信号において送信された情報をデコード及びエンコードしてよい。プロセッサモジュールは、通信モジュール１５４及びＨＡＲＱモジュール１５８を含んでよい。プロセッサモジュール１５２は、第１周波数における第１ＵＬ−ＤＬサブフレーム構成のスケジューリングに従って、通信モジュール１５４を使用し、ＰＣｅｌｌ（例えば、ＣＣ＿０）の複数のアップリンクサブフレームにおける情報を送信してよい。プロセッサモジュール１５２は、同様に、第１周波数と異なる第２周波数における第２ＵＬ−ＤＬサブフレーム構成に従って、ＳＣｅｌｌ（例えば、ＣＣ＿１）の複数のアップリンクサブフレームにおける情報を送信してよい。一実施形態によると、インターバンドキャリアアグリゲーションに従って、ＣＣ＿０の送信周波数とＣＣ＿１の送信周波数との違いは、数百キロヘルツから数十ギガヘルツの範囲であってよい。いくつかの実施形態では、プロセッサモジュール１５２は、ＨＡＲＱモジュール１５８を使用し、ＰＣｅｌｌのＵＬ−ＤＬサブフレーム構成又はＳＣｅｌｌのＵＬ−ＤＬサブフレーム構成の一つに基づいて、ＨＡＲＱタイミングシーケンス又はタイミングスケジュールを選択してよい。
【００２４】
同様に、ｅＮＢ１０４のプロセッサモジュール１２８は、通信モジュール１６２及びＨＡＲＱモジュール１６６に接続されてよい。プロセッサモジュール１２８は、上述のように、プロセッサモジュール１５２の複数のアップリンクサブフレームに関して、通信モジュール１６２を使用し、ＰＣｅｌｌのダウンリンクサブフレーム及び／又はＳＣｅｌｌのダウンリンクサブフレームにおける情報を送信してよい。
【００２５】
以後、より詳細に記載される通り、プロセッサモジュール１２８は、ＳＣｅｌｌのＵＬ−ＤＬサブフレーム構成と異なるＵＬ−ＤＬサブフレーム構成を介して、ＳＣｅｌｌ通信のために、ＡＣＫ／ＮＡＣＫ情報を選択的に送信してよい。複数の実施形態において、プロセッサモジュール１２８は、ＨＡＲＱモジュール１６６を使用し、複数のＵＬ−ＤＬサブフレーム構成の一つに基づいて、ＨＡＲＱタイミングシーケンス又はタイミングスケジュールを選択してよい。ＨＡＲＱモジュール１６６は、同様に、プロセッサモジュール１２８のためにＡＣＫ／ＮＡＣＫ情報を生成してよい。ＨＡＲＱモジュール１６６は、通信モジュール１６２に接続されてよく、通信モジュール１６２を使用して、選択されたＨＡＲＱタイミングシーケンスを介して、生成されたＡＣＫ／ＮＡＣＫ情報を送信してよい。
【００２６】
ＴＤＤシステムの利点は、上述した構成０−６のような異なる複数のＵＬ−ＤＬサブフレーム構成の使用による、フレキシブルなリソース利用であってよい。複数のＵＬ−ＤＬサブフレーム構成は、セルにおけるアップリンクトラフィック及びダウンリンクトラフィックのためのより高い効率を実現するように選択されてよい。表１において上に示した通り、利用可能なＵＬリソース及びＤＬリソースの比率は、構成０において３ＵＬ：２ＤＬから、構成５において示した１ＵＬ：９ＤＬであってよい。いくつかの実施形態では、異なる複数のＵＬ−ＤＬサブフレーム構成が異なる複数のセルで使用されることが望ましいかもしれない。例えば、ＰＣｅｌｌは、ＳＣｅｌｌと異なる構成を使用してよい。異なる複数のＵＬ−ＤＬサブフレーム構成の使用は、レガシーシステム共存、ヘテロジニアスネットワーク（ＨｅｔＮｅｔ）サポート、複数のトラフィック依存キャリアのアグリゲーション、低いバンド幅の使用における、多数のＵＬサブフレームがよりよい範囲のために利用可能で、より多くの複数のＤＬサブフレームが高いバンド幅の使用のために利用可能なフレキシブルな複数の構成、及びより高いピーク速度のような利得を提供してよい。
【００２７】
ＣＡが使用される複数の実施形態において、クロスキャリアスケジューリングが実行されてよい。一般に、クロスキャリアスケジューリングは、あるサービングセルがスケジューリングセルであり、他のサービングセルがスケジューリングされたセルであるインディケーションを含んでよい。例えば、ＰＣｅｌｌは、スケジューリングセルであり、ＳＣｅｌｌがスケジューリングされたセルであってよい。セルが多重の複数のＳＣｅｌｌを含む他の実施形態では、第１ＳＣｅｌｌは、スケジューリングセルであってよく、第２ＳＣｅｌｌは、スケジューリングされたセルであってよい。これらの実施形態では、スケジューリングされたセルは、ＵＥ１０８からｅＮＢ１０４にデータを送信するために使用されてよく、例えば、ＰＣｅｌｌのようなスケジューリングセルは、ＨＡＲＱ  ＡＣＫ／ＮＡＣＫ情報をｅＮＢ１０４からＵＥ１０８に送信するために使用されてよい。本明細書は、スケジューリングセル及びスケジューリングされたセルという用語に関する複数の実施形態を続けて議論する。
【００２８】
クロスキャリアスケジューリングが使用されるこれらの実施形態では、異なる複数のＵＬ−ＤＬサブフレーム構成は、複数のアップリンクリソースのスペクトル効率に影響を与えるかもしれない。これは、３ＧＧＰ  ＬＴＥ仕様が、ＵＬデータ送信と、対応するＤＬ  ＡＣＫ／ＮＡＣＫ送信との間の少なくとも４つのサブフレームを要求してよいからである。しかし、スケジューリングセル及びスケジューリングされたセルは、異なる複数のＵＬ−ＤＬサブフレーム構成を使用してよいので、スケジューリングされたセルにおける複数のＵＬサブフレームのリソース利用は、完全に効率的でなくてもよく、それゆえ、異なるスケジューリングタイミングを有してよい。スケジューリングタイミングは、セルのＵＬ−ＤＬサブフレーム構成によって指示されたように、セルのための無線フレーム内において、ＵＬサブフレーム、ＤＬサブフレーム又はＳサブフレームの特定のタイミング及び構成を参照してよい。スケジューリングセル及びスケジューリングされたセルのスケジューリングタイミングが異なる場合、より詳細に以下に説明される通り、スケジューリングセルのサブフレームがＵＬサブフレームであってよいのに対して、スケジューリングされたセルの同じサブフレームがＤＬサブフレームであってよく、又はその逆であってよい。例えばＵＥ１０８からの、１つのＵＬ−ＤＬサブフレーム構成に従ってスケジューリングされたセルにおけるＵＬ送信は、それゆえ、例えばｅＮＢ１０４からの、スケジューリングセルにおけるＡＣＫ／ＮＡＣＫ送信のための対応するＤＬサブフレームを有していなくてもよい。
【００２９】
図２は、スケジューリングされたセルとスケジューリングセルとの異なるスケジューリングタイミングに起因する非効率なＵＬリソース利用の例を示す。スケジューリングセルのＵＬ−ＤＬサブフレーム構成は、構成６であってく、３つの通常ＤＬサブフレームＤ、２つの特別なサブフレームＳ及び５つのＵＬサブフレームＵを有してよい。スケジューリングされたセルのＵＬ−ＤＬサブフレーム構成は、構成４であってよく、７つの通常ＤＬサブフレームＤ、１つの特別なサブフレームＳ及び２つのＵＬサブフレームＵを有してよい。スケジューリングされたセルのＵＬ−ＤＬサブフレーム構成のＰＵＳＣＨスケジューリングタイミング（例えば、構成４）が、本実施形態のスケジューリングされたセルにおけるＰＵＳＣＨ送信のために用いられる場合、スケジューリングされたセルにおけるＵＬサブフレーム３だけがアップリンクデータ送信のために用いられてよい。それに応じて、ＡＣＫ／ＮＡＣＫ情報は、実線の矢印によって示されるように、スケジューリングセルのサブフレーム９においてのみ、受信されることができる。スケジューリングセルにおいて対応するスケジューリングサブフレームは、例えば、図２で示されたスケジューリングセルにおけるサブフレーム８のように、ＤＬサブフレームよりはむしろＵＬサブフレームであってよいので、サブフレーム２は使用できなくてよく、サブフレーム２に関連付けられたＵＬグラント／ＰＨＩＣＨ情報は、結果として、送信されなくてよい。したがって、スケジューリングされたセルのＵＬリソース効率を５０％減らすであろうサブフレーム３のみが有効であってよい。異なる複数の実施形態及び組み合わせは、同様の、それ以上の、又はより少ないリソース効率の低減を有してよい。
【００３０】
図３は、スケジューリングセルのＵＬ−ＤＬサブフレーム構成のスケジューリングタイミングを使用するための代替の方法を示す。しかし、図３に示される通り、サブフレーム３におけるスケジューリングされたセルからのＵＬデータ送信は、スケジューリングセルによって処理されてよく、スケジューリングセルは、実線により図示されたように、次の無線フレームのサブフレーム０におけるＤＬ  ＡＣＫ／ＮＡＣＫ送信を送ってよい。しかし、破線で示された通り、例えば、ｅＮＢ１０４がＵＥ１０８からのデータ送信を正しく受信できなかった場合に送信されるＮＡＣＫ情報のような、ＰＨＩＣＨチャネルにおけるＮＡＣＫ情報によってトリガーされた非適応再送信のための次に利用可能なＵＬ送信は、スケジューリングセルのスケジューリングタイミングに応じて、サブフレーム４で開始してよい。しかし、スケジューリングセルのタイミングが使用される本実施形態では、サブフレーム４は、ＤＬサブフレームであってよく、したがって、破線によって示された通り、後続のＵＬデータ送信のために利用可能でなくてよい。本実施形態では、次に利用可能なＵＬサブフレームは、次の無線フレームのサブフレーム２まででなくてもよい。ＨＡＲＱプロセスにおけるこの遅延は、ＵＬリソース利用の効率を不必要に下げるかもしれない。
【００３１】
図４は、複数のＵＬ−ＤＬサブフレーム構成を調整し、一実施形態によるＵＬ  ＨＡＲＱプロセスのためのクロスキャリアスケジューリングされた複数のＴＤＤセルのアップリンク効率を増加するための方法のフローチャートを示す。この方法では、スケジューリングセルのＵＬ−ＤＬサブフレーム構成は、４００で識別される。スケジューリングされたセルのＵＬ−ＤＬサブフレーム構成は、次に４０５で識別される。４００及び４０５における識別は、連続して、又は、実質的に同時に発生してもよいと理解される。スケジューリングセル及びスケジューリングされたセルのＵＬ−ＤＬサブフレーム構成を識別した後に、スケジューリングセルのＵＬ  ＲＴＴは、４１０において識別されてよい。ＵＬ  ＲＴＴは、ＨＡＲＱプロセスを発生させる時間であってよい。いくつかのＵＬ−ＤＬサブフレーム構成は、１０ミリ秒（ｍｓ）のＲＴＴであってよい。特に、構成１、２、３、４及び５のようなＵＬ−ＤＬサブフレーム構成は、１０ｍｓのＲＴＴを有する。これらの構成は、４１５において、「タイプ１」構成に指定されてよい。例えば構成０−６のような、他の複数のＵＬ−ＤＬサブフレーム構成では、１０から１３ｍｓの間のＲＴＴを有してよく、４１５において、「タイプ２」構成に指定されてよい。「タイプ１」又は「タイプ２」の指定は、任意の名前で、タイプの名前は、異なる複数の実施形態において、異なってよい。上記の指定は、仕様の残りに用いられてよいが、異なる名前は、ここに記載された方法の代替の複数の実施形態に用いられてよい。
【００３２】
スケジューリングセルのＵＬ−ＤＬサブフレーム構成がタイプ１に指定された場合、その後、４２０において、ＨＡＲＱプロセスのスケジューリングタイミングは、スケジューリングセルのＵＬ−ＤＬサブフレーム構成に続いてよい。代わりに、スケジューリングセルのＵＬ−ＤＬサブフレーム構成がタイプ２に指定された場合、その後、４２５において、ＨＡＲＱプロセスのスケジューリングタイミングは、スケジューリングされたセルのＵＬ−ＤＬサブフレーム構成に続いてよい。代替の複数の実施形態は、更なる複数のタイプ又は複数のＵＬ−ＤＬサブフレーム構成の異なる複数のタイプの決定方法を有してよい。
【００３３】
いくつかの実施形態において、図４の方法は、ｅＮＢ１０４により実行されてよく、他の実施形態において、ＵＥ１０８により実行されてよい。ある複数の実施形態において、当該方法は、ＵＥ１０８及びｅＮＢ１０４の両方により実行され、どのＵＬ−ＤＬサブフレーム構成がＨＡＲＱプロセスのＵＬ−ＤＬ送信に用いるかを、両方の実体が独立して決定することができる。他の複数の実施形態において、ＵＥ１０８は、当該方法を実行してもよく、その後、ＨＡＲＱプロセスにおいて、ＵＬ−ＤＬ送信のためにどのＵＬ−ＤＬサブフレーム構成を使用すべきかをｅＮＢ１０４に指示する信号をｅＮＢ１０４に送信してもよい。代わりに、ｅＮＢ１０４は、当該方法を実行してもよく、その後、ＨＡＲＱプロセスにおいて、ＵＬ−ＤＬ送信のためにどのＵＬ−ＤＬサブフレーム構成を使用すべきかをＵＥ１０８に指示する信号をＵＥ１０８に送信してもよい。ＵＥ１０８により当該方法が実行された場合、その後、上述の通り、ｅＮＢ１０４からＳＩＢ１を受信し、分析することにより、ＵＥ１０８は、４００において、スケジューリングセルのＵＬ−ＤＬサブフレーム構成を識別し、４０５において、スケジューリングされたセルのＵＬ−ＤＬサブフレーム構成を識別してよい。
【００３４】
図５は、図４に示された方法がアップリンクリソース効率を増加するかもしれないことを示す。本実施形態において、スケジューリングセルは、構成１のようなＵＬ−ＤＬサブフレーム構成を使用していてもよく、スケジューリングされたセルは、構成２のようなＵＬ−ＤＬサブフレーム構成を使用していてもよい。４１５に関して上述した通り、構成１及び構成２の両方は、タイプ１構成に指定されてよい。したがって、４１５及び４２０によれば、スケジューリングセル及びスケジューリングされたセルは、すなわち、構成１のような、スケジューリングセルのＵＬ−ＤＬサブフレーム構成を使用してよい。
【００３５】
図５に示す通り、スケジューリングセル、構成１及びスケジューリングされたセルのＵＬ−ＤＬサブフレーム構成は、ＵＥ１０８からｅＮＢ１０４にサブフレーム２のＵＬデータを送信することができ、スケジューリングセルのサブフレーム６のＤＬにおいて、対応するＡＣＫ／ＮＡＣＫ信号をｅＮＢ１０４から受信することができる。セパレートＨＡＲＱプロセスは、サブフレーム７においてＵＥ１０８からｅＮＢ１０４にＵＬデータを送信することができ、スケジューリングセルの次の無線フレームのサブフレーム１において、ｅＮＢ１０４からの対応するＡＣＫ／ＮＡＣＫ信号を受信することができてよい。
【００３６】
図６は、代替の実施形態を示す。図６では、スケジューリングセルは、構成０のようなＵＬ−ＤＬサブフレーム構成を使用していてよく、スケジューリングされたセルは、構成１のようなＵＬ−ＤＬサブフレーム構成を使用していもよい。４１５に関して上述した通り、構成０は、タイプ２構成を指定され、構成１は、タイプ１構成であってよい。したがって、４１５及び４２５に従って、スケジューリングセル及びスケジューリングされたセルは、スケジューリングされたセルのＵＬ−ＤＬサブフレーム構成（構成１）を使用してよい。
【００３７】
図６は、スケジューリングされたセルが、サブフレーム２において、ＵＥ１０８からｅＮＢ１０４にＵＬデータを送信することができ、スケジューリングセルのサブフレーム６において、対応するＡＣＫ／ＮＡＣＫ信号をｅＮＢ１０４から受信できてよいことを示す。セパレートＨＡＲＱプロセスは、同様に実行されてよく、ＵＥ１０８は、スケジューリングされたセルのサブフレーム７においてＵＬデータを送信し、スケジューリングセルの次の無線フレームのサブフレーム１において、対応するＡＣＫ／ＮＡＣＫ信号をｅＮＢ１０４から受信する。
【００３８】
図５及び図６に関して、上述した複数の実施形態は、例示である。代替の複数の実施形態は、複数のＵＬ−ＤＬサブフレーム構成の異なる組み合わせに関して、図４に記載された方法の論理に従ってよい。
【００３９】
図７は、クロスキャリアスケジューリングされた複数のＴＤＤセルのＨＡＲＱプロセスにおけるアップリンク効率を増加させるための代替の実施形態の方法を示す。スケジューリングセル及びスケジューリングされたセルの複数のＵＬ−ＤＬサブフレーム構成は、７００及び７０５において、それぞれ識別されてよい。その後、７１０において、参照ＵＬ−ＤＬサブフレーム構成が識別されてよい。いくつかの実施形態において、参照ＵＬ−ＤＬサブフレーム構成は、スケジューリングセルのＵＬ−ＤＬサブフレーム構成と同じであってよい。他の複数の実施形態では、参照ＵＬ−ＤＬサブフレーム構成は、スケジューリングされたセルのＵＬ−ＤＬサブフレーム構成と同じであってよい。更に他の複数の実施形態では、参照ＵＬ−ＤＬサブフレーム構成は、スケジューリングセル又はスケジューリングされたセルのいずれかのＵＬ−ＤＬサブフレーム構成と異なってよい。いくつかの実施形態では、多重の複数の参照ＵＬ−ＤＬサブフレーム構成が、識別されてよい。
【００４０】
一般的に、参照ＵＬ−ＤＬサブフレーム構成は、スケジューリングセルのＵＬ−ＤＬサブフレーム構成と、スケジューリングされたセルのＵＬ−ＤＬサブフレーム構成との比較を通して、７１０において識別されてよい。特に、当該方法がｅＮＢ１０４により実行された場合、その後、ｅＮＢ１０４は、スケジューリングセル及びスケジューリングされたセルの複数のＵＬ−ＤＬサブフレーム構成と、ｅＮＢ１０４のメモリに記憶されるであろうテーブルとを比較してよい。いくつかの実施形態では、テーブルは、ｅＮＢ１０４と通信可能に接続されたサーバ又は他のデバイスに記憶されてよい。テーブルは、スケジューリングセル及びスケジューリングされたセルの複数のＵＬ−ＤＬサブフレーム構成の１つ又は両方に基づいて、参照ＵＬ−ＤＬサブフレーム構成を識別してよい。その後、ｅＮＢ１０４は、ＲＲＣ信号伝達を介して、参照ＵＬ−ＤＬサブフレーム構成をＵＥ１０８と通信してよい。
【００４１】
代替の実施形態において、上述したように、ＵＥ１０８は、例えば、ＰＤＳＣＨ上の信号において受信されたＳＩＢ１における情報として、スケジューリングセル及びスケジューリングされたセルの複数のＵＬ−ＤＬサブフレーム構成のインディケーションをｅＮＢ１０４から受信してよい。その後、ＵＥ１０８は、ＨＡＲＱプロセスのためにどの参照ＵＬ−ＤＬサブフレーム構成を使用すべきかを決定するために、スケジューリングセル及びスケジューリングされたセルの複数のＵＬ−ＤＬサブフレーム構成のうち１つ又は両方を比較するテーブルを参照する。いくつかの実施形態では、テーブルは、ＵＥ１０８のメモリに格納されてよい。他の複数の実施形態では、テーブルは、ＵＥ１０８に通信可能に接続された外部メモリ又はサーバのような他のデバイス上に格納されてよい。
【００４２】
図８は、図７において上述された方法に従って、ＨＡＲＱプロセスのための参照ＵＬ−ＤＬサブフレーム構成を決定するために使用されてよいテーブルの例示となる実施形態を示す。特に、図８のテーブルの第１列は、スケジューリングセルのＵＬ−ＤＬサブフレーム構成を示す。図８のテーブルの第２列は、スケジューリングされたセルのＵＬ−ＤＬサブフレーム構成を示す。図８のテーブルの第３列は、スケジューリングセル及びスケジューリングされたセルの複数のＵＬ−ＤＬサブフレーム構成のために使用されてよい参照ＵＬ−ＤＬサブフレーム構成を示す。
【００４３】
図８の実施形態では、スケジューリングセルのＵＬ−ＤＬサブフレーム構成が０であり、スケジューリングされたセルのＵＬ−ＤＬサブフレーム構成が１、３、４、又は６である場合、又は、スケジューリングセルのＵＬ−ＤＬサブフレーム構成が１であり、スケジューリングされたセルのＵＬ−ＤＬサブフレーム構成が３又は６である場合、参照ＵＬ−ＤＬサブフレーム構成は６である。スケジューリングセルのＵＬ−ＤＬサブフレーム構成が０であり、スケジューリングされたセルのＵＬ−ＤＬサブフレーム構成が２又は５である場合、又は、スケジューリングセルのＵＬ−ＤＬサブフレーム構成が１であり、スケジューリングされたセルのＵＬ−ＤＬサブフレーム構成が４又は５である場合、参照ＵＬ−ＤＬサブフレーム構成は１である。スケジューリングセルのＵＬ−ＤＬサブフレーム構成が２であり、スケジューリングされたセルのＵＬ−ＤＬサブフレーム構成が３、４又は６である場合、参照ＵＬ−ＤＬサブフレーム構成はスケジューリングされたセル構成である。スケジューリングセルのＵＬ−ＤＬサブフレーム構成が２であり、スケジューリングされたセルのＵＬ−ＤＬサブフレーム構成が５である場合、参照ＵＬ−ＤＬサブフレーム構成は５又は１である。スケジューリングセルのＵＬ−ＤＬサブフレーム構成が６であり、スケジューリングされたセルのＵＬ−ＤＬサブフレーム構成が１、２、４又は５である場合、参照ＵＬ−ＤＬサブフレーム構成は１である。スケジューリングセルのＵＬ−ＤＬサブフレーム構成が６であり、スケジューリングされたセルのＵＬ−ＤＬサブフレーム構成が３である場合、参照ＵＬ−ＤＬサブフレーム構成は６である。スケジューリングセルのＵＬ−ＤＬサブフレーム構成が３又は４であり、スケジューリングされたセルのＵＬ−ＤＬサブフレーム構成が０である場合、参照ＵＬ−ＤＬサブフレーム構成は０である。スケジューリングセルのＵＬ−ＤＬサブフレーム構成が３であり、スケジューリングされたセルのＵＬ−ＤＬサブフレーム構成が１である場合、又は、スケジューリングセルのＵＬ−ＤＬサブフレーム構成が３又は４であり、スケジューリングされたセルのＵＬ−ＤＬサブフレーム構成が６である場合、参照ＵＬ−ＤＬサブフレーム構成は６である。スケジューリングセルのＵＬ−ＤＬサブフレーム構成が４であり、スケジューリングされたセルのＵＬ−ＤＬサブフレーム構成が１である場合、又は、スケジューリングセルのＵＬ−ＤＬサブフレーム構成が３又は４であり、スケジューリングされたセルのＵＬ−ＤＬサブフレーム構成が２である場合、参照ＵＬ−ＤＬサブフレーム構成は１又は６である。
【００４４】
図８のテーブルの第４列は、本実施形態において示された複数の参照構成を使用することにより達成されるであろうアップリンクリソース効率を示す。例えば、スケジューリングセルのＵＬ−ＤＬサブフレーム構成が０に等しい場合、スケジューリングされたセルのＵＬ−ＤＬサブフレーム構成は、１に等しくなり、それから、７５％のアップリンクリソース効率となり、又はスケジューリングされたセルのＵＬ−ＤＬサブフレーム構成１の複数のＵＬサブフレームの７５％は、ＨＡＲＱプロセスに使用可能である。同様に、スケジューリングされたセルのＵＬ−ＤＬサブフレーム構成が６に等しい場合、スケジューリングされたセルのＵＬ−ＤＬサブフレーム構成は、１に等しくなり、それから、同様にアップリンクリソース効率は７５％になってよい。本実施形態において、スケジューリングセルのＵＬ−ＤＬサブフレーム構成は、０に等しく、スケジューリングされたセルのＵＬ−ＤＬサブフレーム構成は３に等しくなり、それから、アップリンクリソース効率は６６％となってよい。本実施形態のスケジューリングセル及びスケジューリングされたセルの複数のＵＬ−ＤＬサブフレーム構成の他の組み合わせにおいて、アップリンクリソース効率は１００％に達する。他の実施形態において、どの参照ＵＬ−ＤＬサブフレーム構成が使用されるかに応じて、異なる組み合わせのために、アップリンクリソース効率は高くなったり、低くなったりしてよい。
【００４５】
図９は、一実施形態に応じた参照セルのＵＬ−ＤＬサブフレーム構成の使用を示す。本実施形態において、スケジューリングセルのＵＬ−ＤＬサブフレーム構成は０である。スケジューリングされたセルのＵＬ−ＤＬサブフレーム構成は２である。図８のテーブルに示されたように、参照ＵＬ−ＤＬサブフレーム構成は、その後、１になってよい。図９に示されたように、ＵＥ１０８は、参照ＵＬ−ＤＬサブフレーム構成を使用して、スケジューリングされたセルのサブフレーム２において、ＵＬデータを送信してよく、スケジューリングセルのサブフレーム６においてＤＬ  ＡＣＫ／ＮＡＣＫ信号をｅＮＢ１０４から受信してよい。セパレートＨＡＲＱプロセスは、同様に発生してよく、ＵＥ１０８は、スケジューリングされたセルのサブフレーム７において、ＵＬデータを送信し、スケジューリングセルの後続の無線フレームのサブフレーム２において、ＤＬ  ＡＣＫ／ＮＡＣＫ信号を受信する。本実施形態において、図８のテーブルに示された通り、スケジューリングされたセルのＵＬリソースの１００％は利用されてよい。
【００４６】
図１０は、図７において上述された方法に応じたＨＡＲＱプロセスのための参照ＵＬ−ＤＬサブフレーム構成を決定するのに使用されてよいテーブルの例示の実施形態を示す。特に、図１０のテーブルの第１列は、スケジューリングセル及びスケジューリングされたセルのＵＬ−ＤＬサブフレーム構成に依存する、参照ＵＬ−ＤＬサブフレーム構成の複数の設定を示す。第２列は、スケジューリングセルのＵＬ−ＤＬサブフレーム構成を示す。図１０のテーブルの第３列は、スケジューリングされたセルのＵＬ−ＤＬサブフレーム構成を示す。図１０のテーブルの第４列は、スケジューリングされたセルのＰＵＳＣＨ  ＨＡＲＱタイミングの決定のために使用されてよい参照ＵＬ−ＤＬサブフレーム構成を示す。
【００４７】
第１設定では、スケジューリングセルのＵＬ−ＤＬサブフレーム構成が１に等しく、スケジューリングされたセルのＵＬ−ＤＬサブフレーム構成が２、４、又は５に等しい場合、参照ＵＬ−ＤＬサブフレーム構成は１に等しい。第１設定では、スケジューリングセルのＵＬ−ＤＬサブフレーム構成が２に等しく、スケジューリングされたセルのＵＬ−ＤＬサブフレーム構成が５に等しい場合、参照ＵＬ−ＤＬサブフレーム構成は２に等しい。第１設定では、スケジューリングセルのＵＬ−ＤＬサブフレーム構成が３に等しく、スケジューリングされたセルのＵＬ−ＤＬサブフレーム構成が４又は５に等しい場合、参照ＵＬ−ＤＬサブフレーム構成は３に等しい。第１設定では、スケジューリングセルのＵＬ−ＤＬサブフレーム構成が４に等しく、スケジューリングされたセルのＵＬ−ＤＬサブフレーム構成が５に等しい場合、参照ＵＬ−ＤＬサブフレーム構成は４に等しい。
【００４８】
第２設定では、スケジューリングセルのＵＬ−ＤＬサブフレーム構成が１、２、３又は４に等しく、スケジューリングされたセルのＵＬ−ＤＬサブフレーム構成が６に等しい場合、参照ＵＬ−ＤＬサブフレーム構成は６に等しい。第２設定では、スケジューリングセルのＵＬ−ＤＬサブフレーム構成が３又は４に等しく、スケジューリングされたセルのＵＬ−ＤＬサブフレーム構成が０に等しい場合、参照ＵＬ−ＤＬサブフレーム構成は０に等しい。第２設定では、スケジューリングセルのＵＬ−ＤＬサブフレーム構成が４に等しく、スケジューリングされたセルのＵＬ−ＤＬサブフレーム構成が１に等しい場合、参照ＵＬ−ＤＬサブフレーム構成は１に等しい。
【００４９】
第３設定では、スケジューリングセルのＵＬ−ＤＬサブフレーム構成が２に等しく、スケジューリングされたセルのＵＬ−ＤＬサブフレーム構成が３に等しい場合、参照ＵＬ−ＤＬサブフレーム構成は３に等しい。第３設定では、スケジューリングセルのＵＬ−ＤＬサブフレーム構成が２に等しく、スケジューリングされたセルのＵＬ−ＤＬサブフレーム構成が４に等しい場合、参照ＵＬ−ＤＬサブフレーム構成は４に等しい。
【００５０】
第４設定では、スケジューリングセルのＵＬ−ＤＬサブフレーム構成が６に等しく、スケジューリングされたセルのＵＬ−ＤＬサブフレーム構成が０に等しい場合、参照ＵＬ−ＤＬサブフレーム構成は０に等しい。第４設定では、スケジューリングセルのＵＬ−ＤＬサブフレーム構成が０又は６に等しく、スケジューリングされたセルのＵＬ−ＤＬサブフレーム構成が１、２、又は５に等しい場合、参照ＵＬ−ＤＬサブフレーム構成は１に等しい。第４設定では、スケジューリングセルのＵＬ−ＤＬサブフレーム構成が０又は６に等しく、スケジューリングされたセルのＵＬ−ＤＬサブフレーム構成が３に等しい場合、参照ＵＬ−ＤＬサブフレーム構成は３に等しい。第４設定では、スケジューリングセルのＵＬ−ＤＬサブフレーム構成が０に等しく、スケジューリングされたセルのＵＬ−ＤＬサブフレーム構成が６に等しい場合、参照ＵＬ−ＤＬサブフレーム構成は６に等しい。第４設定では、スケジューリングセルのＵＬ−ＤＬサブフレーム構成が６に等しく、スケジューリングされたセルのＵＬ−ＤＬサブフレーム構成が４に等しい場合、参照ＵＬ−ＤＬサブフレーム構成は４に等しい。
【００５１】
図７の方法は、例えば、図１０のテーブルに示された単に設定１のような単一の設定を使用してよく、当該方法は、７１０において参照ＵＬ−ＤＬサブフレーム構成を識別するための２又はそれ以上の設定の組み合わせを使用してもよい。いくつかの実施形態では、図１０で示されていない、複数の参照ＵＬ−ＤＬサブフレーム構成、スケジューリングセルの複数のＵＬ−ＤＬサブフレーム構成及びスケジューリングされたセルの複数のＵＬ−ＤＬサブフレーム構成の追加の組み合わせが、図１０において示されたこれらの組み合わせにおいて使用されてよい。例えば、追加の複数の実施形態は、図８又は図１０において示されていないスケジューリングセル又はスケジューリングされたセルの複数のＵＬ−ＤＬサブフレーム構成の組み合わせのための複数の参照ＵＬ−ＤＬサブフレーム構成を含んでよい。
【００５２】
図１０のテーブルは、図４の方法及び図８のテーブルの両方の要素を含むことが分かるであろう。例えば、図４の要素４２０において上述されたように、スケジューリングセルのＵＬ−ＤＬサブフレーム構成がタイプ１構成である場合、図１０のテーブルは、スケジューリングセルのＵＬ−ＤＬサブフレーム構成の使用を、参照ＵＬ−ＤＬサブフレーム構成として示す。例えば、スケジューリングセルのＵＬ−ＤＬサブフレーム構成が１であり、スケジューリングされたセルのＵＬ−ＤＬサブフレーム構成が２である場合、図１０のテーブルは、１のＵＬ−ＤＬ参照構成が使用されてよいことを示す。同様に、図４の要素４２５において上述されたように、スケジューリングされたセルのＵＬ−ＤＬサブフレーム構成がタイプ２である場合、図１０は、スケジューリングされたセルのＵＬ−ＤＬサブフレーム構成の使用を、参照ＵＬ−ＤＬサブフレーム構成として示す。例えば、図１０のテーブルは、スケジューリングセルのＵＬ−ＤＬサブフレーム構成が６であり、スケジューリングされたセルのＵＬ−ＤＬサブフレーム構成が４である場合、４のＵＬ−ＤＬ参照構成が使用されてよいことを示す。同様に、図８のテーブルに示される通り、図１０は、スケジューリングセルのＵＬ−ＤＬサブフレーム構成が３であり、スケジューリングされたセルのＵＬ−ＤＬサブフレーム構成が６である場合、６のＵＬ−ＤＬ参照構成が使用されてよいことを示す。図１０のいくつかの組み合わせは、スケジューリングセルのＵＬ−ＤＬサブフレーム構成が１であり、スケジューリングされたセルのＵＬ−ＤＬサブフレーム構成が４である場合、例えば、１のＵＬ−ＤＬ参照サブフレーム構成の使用は、図８のテーブルと図４の方法の両方に対応する。
【００５３】
他の実施形態では、図８若しくは図１０に示され、又は図４の方法により導出される、参照アップリンク−ダウンリンク構成、スケジューリングセルのＵＬ−ＤＬサブフレーム構成、及びスケジューリングされたセルのＵＬ−ＤＬサブフレーム構成のより少ない又は異なる組み合わせを使用してよい。これらの実施形態は、図８若しくは図１０に示されておらず、又は図４の方法により導出されない、参照アップリンク−ダウンリンク構成、スケジューリングセルのＵＬ−ＤＬサブフレーム構成及びスケジューリングされたセルのＵＬ−ＤＬサブフレーム構成の追加の組み合わせを含んでよい。
【００５４】
ここで開示されるｅＮＢ１０４及びＵＥ１０８は、要求通りに設定するための、適当なハードウェア及び／又はソフトウェアを使用するシステムに組み入れられてよい。図１１は、一実施形態において、１つ又はそれ以上のプロセッサ１１０４、少なくとも一つのプロセッサ１１０４に接続されたシステム制御ロジック１１０８、システム制御ロジック１１０８に接続されたシステムメモリ１１１２、システム制御ロジック１１０８に接続された不揮発性メモリ（ＮＶＭ）／ストレージ１１１６、及びシステム制御ロジック１１０８に接続されたネットワークインタフェース１１２０を備える例示のシステム１１００を説明する。
【００５５】
プロセッサ１１０４は、１つ又はそれ以上のシングルコアプロセッサ又はマルチコアプロセッサを含んでよい。プロセッサ１１０４は、複数の汎用プロセッサ及び複数の専用プロセッサ（例えば、グラフィクスプロセッサ、アプリケーションプロセッサ、ベースバンドプロセッサ等）の任意の組み合わせを含んでよい。ＵＥ１０８を実行するシステム１１００のある実施形態では、プロセッサ１１０４は、プロセッサモジュール１５２を含んでよく、さまざまな実施形態に沿って、図２から図９の実施形態を実行してよい。システム１１００がｅＮＢ１０４を実行する実施形態では、プロセッサ１１０４は、プロセッサモジュール１２８を含んでよく、ＵＥ１０８によって送信されたＨＡＲＱ  ＡＣＫ／ＮＡＣＫ情報を復号化してよい。
【００５６】
一実施形態のためのシステム制御ロジック１１０８は、システム制御ロジック１１０８との通信において、プロセッサ１１０４及び／又は適当なデバイス又はコンポーネントの少なくとも一つと適当なインターフェースを提供するべく、適当な複数のインターフェースコントローラを含んでよい。
【００５７】
一実施形態に係るシステム制御ロジック１１０８は、１つ又はそれ以上のメモリコントローラを含み、システムメモリ１１１２へのインターフェースを提供してよい。システムメモリ１１１２は、例えば、システム１１００のために、データ及び／又は命令をロードし、及び格納するために使用されてよい。一実施形態において、システムメモリ１１１２は、例えば、適当なダイナミック・ランダム・アクセス・メモリ（ＤＲＡＭ）のような、適当な揮発性メモリを含んでよい。
【００５８】
ＮＶＭ／ストレージ１１１６は、データ及び／又は複数の命令を格納する１つ又はそれ以上の、例えば、タンジブル、一時的でないコンピュータ可読媒体を含んでよい。ＮＶＭ／ストレージ１１１６は、フラッシュメモリのような、適当な不揮発性メモリを含んでよく、例えば、及び／又は、１つ又はそれ以上のハードディスクドライブ（ＨＤＤ）、１つ又はそれ以上のコンパクトディスク（ＣＤ）、及び／又は１つ又はそれ以上のデジタル多目的ディスク（ＤＶＤ）ドライバのような適当な揮発性記憶デバイスを含んでよい。
【００５９】
ＮＶＭ／ストレージ１１１６は、システム１１００がインストールされたデバイスの物理的な一部である格納リソースを含んでよく、又は一部である必要はないが、デバイスによってアクセス可能であってよい。例えば、ＮＶＭ／ストレージ１１１６は、ネットワークインタフェース１１２０を介して、ネットワーク上でアクセスされてよい。
【００６０】
システムメモリ１１１２及びＮＶＭ／ストレージ１１１６は、特に、命令１１２４の一時的及び持続的な複数のコピーをそれぞれ含んでよい。命令１１２４は、ここで開示されたように、少なくとも一つのプロセッサ１１０４によって実行された場合、システム１１００が、方法４００及び７００のうち１つ又は両方を実行する命令を含んでよい。いくつかの実施形態では、命令１１２４又はそのハードウェア、ファームウェア、及び／又はソフトウェアコンポーネントは、追加的に又は代替的にシステム制御ロジック１１０８、ネットワークインタフェース１１２０及び／又はプロセッサ１１０４において格納されてよい。
【００６１】
ネットワークインタフェース１１２０は、システム１１００の無線インターフェースを提供するためのトランシーバ１１２２を有し、１つ又はそれ以上のネットワーク及び／又は他の適切なデバイスを用いて通信してよい。トランシーバ１１２２は、受信機モジュール１４４及び／又は送信機モジュール１４８を実装してよい。様々な実施形態において、トランシーバ１１２２は、システム１１００の他のコンポーネントと統合されてよい。例えば、トランシーバ１１２２は、プロセッサ１１０４のプロセッサ、システムメモリ１１１２のメモリ及びＮＶＭ／ストレージ１１１６のＮＶＭ／ストレージを含んでよい。ネットワークインタフェース１１２０は、適当なハードウェア及び／又はファームウェアを含んでよい。ネットワークインタフェース１１２０は、複数のアンテナを含み、多重入力、多重出力無線インターフェースを提供してよい。一実施形態に係るネットワークインタフェース１１２０は、例えば、ネットワークアダプター、ワイヤレスネットワークアダプター、テレフォンモデム及び／又は無線モデムを含んでよい。
【００６２】
一実施形態によると、少なくとも一つのプロセッサ１１０４は、システム制御ロジック１１０８の１つ又はそれ以上のコントローラのための論理回路と共にパッケージ化されてよい。一実施形態によると、少なくとも一つのプロセッサ１１０４は、システムインパッケージ（ＳＩＰ）を形成するために、システム制御ロジック１１０８の１つ又はそれ以上のコントローラのための論理回路と共にパッケージ化されてよい。一実施形態によると、少なくとも一つのプロセッサ１１０４は、システム制御ロジック１１０８の１つ又はそれ以上のコントローラのための論理回路と同一ダイ上で統合されてよい。一実施形態によると、少なくとも一つのプロセッサ１１０４は、システムオンチップ（ＳｏＣ）を形成するために、システム制御ロジック１１０８の１つ又はそれ以上のコントローラのための論理回路と同一ダイ上で統合されてよい。
【００６３】
システム１１００は、更に、入出力（Ｉ／Ｏ）装置１１３２を含んでよい。入出力装置１１３２は、ユーザとシステム１１００とのやりとりを可能にするように指定された複数のユーザインターフェース、周辺コンポーネントとシステム１１００とのやりとりを可能にするように指定された複数の周辺コンポーネントインターフェース及び／又はシステム１１００に関連する環境状況及び／又は位置情報を決定するように指定された複数のセンサを含んでよい。
【００６４】
様々な実施形態において、複数のユーザインターフェースは、これらには限られないが、ディスプレイ（例えば、液晶ディスプレイ、タッチスクリーンディスプレイ等）、スピーカー、マイクロホン、１つ又はそれ以上のカメラ（例えば、スチールカメラ及び／又はビデオカメラ）、フラッシュライト（例えば、発光ダイオードフラッシュ）及びキーボードを含むことができる。
【００６５】
様々な実施形態において、複数の周辺コンポーネントインターフェースは、これらに限られないが、不揮発性メモリ、オーディオジャック及び電源供給インターフェースを含んでよい。
【００６６】
様々な実施形態において、複数のセンサは、これらには限られないが、ジャイロセンサ、加速度計、近接センサ、環境光センサ及び測位ユニットを含んでよい。測位ユニットは、ネットワークインタフェース１１２０の一部であってよく、又は、ネットワークインタフェース１１２０とやりとりし、例えば、グローバルポジショニングシステム（ＧＰＳ）衛星のようなポジショニングネットワークの複数のコンポーネントと通信してよい。
【００６７】
様々な実施形態において、システム１１００は、これらに限定されないが、ラップトップコンピューティングデバイス、タブレットコンピューティングデバイス、ネットブック、携帯電話等のようなモバイルコンピューティングデバイスであってよい。様々な実施形態において、システム１１００は、それより多い又は少ないコンポーネント、及び／又は異なるアーキテクチャーを有してよい。
【００６８】
説明のために、ここに、いくつかの実施形態が説明され、記載されているが、同一の目的を達成するために計算された多種多様な代替の及び／又は同等の実施形態もしくは実装は、本発明の開示の範囲を逸脱することなく示され、開示された実施形態のと置き換えられてよい。このアプリケーションは、ここに説明された実施形態の任意の適応又は変更をカバーするように意図されている。したがって、ここに記載された実施形態は、請求項及びそれと同等のものによってのみ限定されてよいことが明示的に意図されている。
【図１】
0005922261.tif 000003
【図２】
0005922261.tif 000004
【図３】
0005922261.tif 000005
【図４】
0005922261.tif 000006
【図５】
0005922261.tif 000007
【図６】
0005922261.tif 000008
【図７】
0005922261.tif 000009
【図８】
0005922261.tif 000010
【図９】
0005922261.tif 000011
【図１０】
0005922261.tif 000012
【図１１】
0005922261.tif 000013